(57)【要約】【課題】裏蓋をこじ開けて行われるフイルム詰め替えを防止する。【解決手段】ストロボ基板２６の背面側にメインコンデンサ２８が実装されている。メインコンデンサ２８のリード端子３６は、切り込み部３６ａを内側にして根元部３６ｂと先端部３６ｃが直角に折り曲げられている。コンデンサ本体３５は、根元部３６ｂとストロボ基板２６とが平行になるように配置されている。裏蓋１２には、根元部３６ｂに引っ掛けられる係合爪４５が形成されている。裏蓋１２のこじ開けに伴って係合爪４５がメインコンデンサ２８を引っ張るので、リード端子３６が変形、破断してストロボ装置が使用できなくなる。【選択図】　　　　図５
2004125973.tif 000002
【特許請求の範囲】
【請求項１】
撮影機構が組み込まれたユニット本体と、ユニット本体の背面に装着される裏蓋とによって写真フイルムが光密に収納され、
ユニット本体を正面から覆う前カバーと、ユニット本体と前カバーの間で回路部品の実装面がフイルム面と平行に配置されたストロボ基板とを有し、
ストロボ基板上には、ストロボ発光管を流れる電荷が蓄えられるコンデンサ本体と、コンデンサ本体から突出した根元部と前記実装面に差し込まれる先端部とに折り曲げられたリード端子とからなるメインコンデンサが実装され、
前記裏蓋には、前記リード端子の根元部に引っ掛けられる係合爪が形成されていることを特徴とするレンズ付きフイルムユニット。
【請求項２】
前記コンデンサ本体は、前記ストロボ発光管を収納したケース体の背面に接着されていることを特徴とする請求項１記載のレンズ付きフイルムユニット。
【請求項３】
撮影機構が組み込まれたユニット本体と、ユニット本体の背面に装着される裏蓋とによって写真フイルムが光密に収納され、
ユニット本体を正面から覆う前カバーと、ユニット本体と前カバーの間で回路部品の実装面がフイルム面と平行に配置されたストロボ基板とを有し、
ストロボ基板上には、ストロボ発光管を流れる電荷が蓄えられるコンデンサ本体と、コンデンサ本体から突出した根元部と前記実装面に差し込まれる先端部とに折り曲げられたリード端子とからなるメインコンデンサが実装され、
前記コンデンサ本体は、前記裏蓋に形成した開口部に嵌め合わされる突起部を有するプラスチックホルダに保持され、
前記突起部と前記開口部とが溶着されることにより、前記プラスチックホルダが前記裏蓋に固定されていることを特徴とするレンズ付きフイルムユニット。
【請求項４】
前記リード端子の先端部と根元部の間に切り込みを設けるとともに、前記リード端子が切り込みを内側にして折り曲げられていることを特徴とする請求項１ないし３記載のレンズ付きフイルムユニット。
【発明の詳細な説明】
【０００１】
【発明の属する技術分野】
本発明は、裏蓋が安易にこじ開けられることを防止したレンズ付きフイルムユニットに関するものである。
【０００２】
【従来の技術】
未露光の写真フイルムが予め装填され、購入したその場で写真撮影が可能なレンズ付きフイルムユニットが知られている。レンズ付きフイルムユニットは、簡単な操作で写真撮影が楽しめ、低価格でコンパクトという手軽さから広く普及している。レンズ付きフイルムユニットは、製造コストが抑えられ、持ち運びに便利な軽量さが得られるように、その大部分がプラスチックの成形品で構成されている。
【０００３】
レンズ付きフイルムユニットは、使い終わると現像所にそのまま持ち込まれる。現像所では、レンズ付きフイルムユニットから写真フイルムが抜き取られ、フイルムの現像と印画紙へのプリントが行われる。ユーザーにはネガフイルムとプリント写真のみが渡され、写真フイルムの抜き取られた使用済みのレンズ付きフイルムユニットは現像所で引き取られる。
【０００４】
現像所で引き取られた使用済みのレンズ付きフイルムユニットは、製造元のメーカーに回収される。回収されたレンズ付きフイルムユニットは、最初に前カバーが取り外され、次に、本体部分がストロボ装置やシャッタ装置、レンズなどの機能部品と裏蓋とに分解される。プラスチックのみで構成された前カバーと裏蓋はペレット化され、成形し直されて新規製品の外装として再利用される。本体部分から分解された各機能部品は、分別された後に性能検査が行われる。性能検査に合格した機能部品や、修理によって再利用が可能な機能部品は、新品同様にメンテナンスされ、新規製品の一部に組み込まれる。一方、修理の不可能な故障部品はさらに細かく分解され、原料ごとに分別処理される。
【０００５】
【発明が解決しようとする課題】
近年、使用済みのレンズ付きフイルムユニットが製造元と異なる業者により回収され、未使用の写真フイルムを再装填したフイルム詰め替え品が販売されている。このフイルム詰め替え品は、使用済みのレンズ付きフイルムユニットの裏蓋を無理やりこじ開けて写真フイルムを詰め直したもので、外部に損傷が見られたり、遮光が不完全であるという品質面の問題点が指摘されている。
【０００６】
これは、手間をかけることを嫌うフイルム詰め替え業者が、超音波溶着などで強固に接合された裏蓋を力ずくで取り外し、写真フイルムを再装填した後に、取り外した裏蓋を破損部分の有無にかかわらずそのまま取り付けるという作業を行っていることが原因となっている。また、裏蓋の破損部分を遮光テープで補修するなど、フイルム詰め替え品に独自の改造をしている業者もいるが、この改造品は、製造元で回収されてもリサイクル処理に適合できず、能率的かつ効率的なリサイクル処理に支障が生じるという問題がある。
【０００７】
本発明は、上記問題点を考慮してなされたもので、安易に裏蓋がこじ開けられないようにすることで低品質なフイルム詰め替え品の製造が防止でき、また、リサイクル処理に適さないフイルム詰め替え品の製造が防止できるレンズ付きフイルムユニットを提供することを目的とする。
【０００８】
【課題を解決するための手段】
上記目的を達成するために、請求項１記載のレンズ付きフイルムユニットは、撮影機構が組み込まれたユニット本体と、ユニット本体の背面に装着される裏蓋とによって写真フイルムが光密に収納され、ユニット本体を正面から覆う前カバーと、ユニット本体と前カバーの間で回路部品の実装面がフイルム面と平行に配置されたストロボ基板とを有し、ストロボ基板上には、ストロボ発光管を流れる電荷が蓄えられるコンデンサ本体と、コンデンサ本体から突出した根元部と前記実装面に差し込まれる先端部とに折り曲げられたリード端子とからなるメインコンデンサが実装され、前記裏蓋には、前記リード端子の根元部に引っ掛けられる係合爪が形成されていることを特徴としており、裏蓋開放に連動してメインコンデンサが引っ張られるようにして、リード端子を変形させるものである。
【０００９】
請求項２記載のレンズ付きフイルムユニットは、前記コンデンサ本体が前記ストロボ発光管を収納したケース体の背面に接着されていることを特徴としており、裏蓋開放時にメインコンデンサがストロボ発光管ごと引っ張られるようにしたものである。
【００１０】
請求項３記載のレンズ付きフイルムユニットは、撮影機構が組み込まれたユニット本体と、ユニット本体の背面に装着される裏蓋とによって写真フイルムが光密に収納され、ユニット本体を正面から覆う前カバーと、ユニット本体と前カバーの間で回路部品の実装面がフイルム面と平行に配置されたストロボ基板とを有し、ストロボ基板上には、ストロボ発光管を流れる電荷が蓄えられるコンデンサ本体と、コンデンサ本体から突出した根元部と前記実装面に差し込まれる先端部とに折り曲げられたリード端子とからなるメインコンデンサが実装され、前記コンデンサ本体は、前記裏蓋に形成した開口部に嵌め合わされる突起部を有するプラスチックホルダに保持され、前記突起部と前記開口部とが溶着されることにより、前記プラスチックホルダが前記裏蓋に固定されていることを特徴としており、裏蓋開放に連動してメインコンデンサが引っ張られるようにして、リード端子を変形させるものである。
【００１１】
請求項４記載のレンズ付きフイルムユニットは、前記リード端子の先端部と根元部の間に切り込みを設け、前記リード端子が切り込みを内側にして折り曲げられていることを特徴としており、裏蓋開放に連動してメインコンデンサがちぎれるようにしたものである。
【００１２】
【発明の実施の形態】
図１において、レンズ付きフイルムユニット１は、その前面に撮影レンズ２が露呈され、ファインダ３、スライドつまみ４、ストロボ発光窓５が設けられている。上面には、シャッタボタン６、カウンタ窓７、充電確認窓８が設けられている。スライドつまみ４を操作するとストロボ充電が開始され、これが完了すると充電確認窓８が点灯する。充電確認窓８が点灯した状態でシャッタボタンを操作するとストロボ撮影が行われる。
【００１３】
図２において、レンズ付きフイルムユニット１は、ユニット本体１０、写真フイルム１１、裏蓋１２、ストロボ装置１３、前カバー１４とから構成されている。周知のように、ユニット本体１０と裏蓋１２、ユニット本体と前カバー１４は、詳しくは図示しない係合爪と係合穴によって互いに連結される。
【００１４】
ユニット本体１０には、シャッタ機構をはじめとする周知の撮影機構が組み込まれている。ユニット本体１０の中央には、露光開口と暗箱部が設けられており、撮影レンズ２の背後に設けられたシャッタ羽根が作動すると露光が行われる。。ユニット本体１０の両端には、カートリッジ室１６とフイルム室１７がそれぞれ設けられている。写真フイルム１１は、フイルムカートリッジ１８から引き出され、中空のフイルムロール１９としてフイルム室１７に収納される。フイルムカートリッジ１８は、カートリッジ室１６に収納される際、スプール２０が巻上げノブ２１の下端に係合する。巻上げノブ２１が回転操作されるとスプール２０が回転し、写真フイルム１１がパトローネ１８内に巻上げられる。
【００１５】
裏蓋１２は、遮光リブが形成され、パトローネ室１６とフイルム室１７の後部、並びにその間のフイルム通路を覆う裏蓋本体２２と、底蓋部２３，２４とからなる。底蓋部２３，２４は回動自在に設けられ、パトローネ室１６とフイルム室１７の底部を覆う。裏蓋１２をユニット本体１０の背面に装着すると、写真フイルム１１を光密に収納することができる。底蓋部２３は、パトローネ１８の取出し時に開放される。フイルム押さえ２５は、ユニット本体１０の後部に設けられたアパーチャ上で写真フイルム１１を押さえ、適正な露光範囲を画定する。
【００１６】
ストロボ装置１３は、ストロボ基板２６の実装面上にストロボ回路を構成する各種の回路部品が実装されている。ストロボ基板２６は、ユニット本体１０に形成された突起２７によって撮影レンズ２とフイルム室１７の間で保持される。突起２７は、前カバー１３に向かって突出形成されており、ストロボ基板２６は写真フイルム１１と平行に配置される。
【００１７】
ストロボ基板２６には、ストロボ発光用に高圧充電されるメインコンデンサ２８が背面側から実装され、スライドつまみ４の操作によってオン・オフされるストロボスイッチ２９、シャッタ羽根の開放にシンクロしてオンするシンクロスイッチ３０、ストロボ発光管を収納した発光管ケース３１などが設けられている。前カバー１４は、ストロボ装置１３ごとユニット本体１０の正面を覆う。ストロボ基板２６が突起２７で保持されると、メインコンデンサ２８と発光管ケース３１はフイルム室１７の上に配置される。
【００１８】
図３（ａ）において、メインコンデンサ２８は、コンデンサ本体３５と、コンデンサ本体３５の端面３５ａから突出したリード端子３６とからなる。リード端子３６には、Ｖ字型の切り込み部３６ａが設けられている。図３（ｂ）に示すように、リード端子３６は、切り込み部３６ａを内側にして根元部３６ｂと先端部３６ｃとに折り曲げられている。メインコンデンサ２８は、リード端子３６が直角に折れ曲がった状態でストロボ基板２６にハンダ付けされ、コンデンサ本体３５の長手方向がストロボ基板２６と平行に配置される。これに伴い、コンデンサ本体３５の端面から突出した根元部３６ｂはストロボ基板２６の実装面に対して平行になり、先端部３６ｃはストロボ基板２６の実装面に対して垂直に差し込まれる。
【００１９】
図４において、発光管ケース３１は、ストロボ発光窓５から露呈される透明板３７と、ケース本体３８とからなる。ケース本体３８には、ストロボ発光管３９から放射されたストロボ光を透明板３７に向けて反射する反射面４０が設けられている。発光管ケース３１には、円柱形状のコンデンサ本体３５に合わせて円筒形状に湾曲した背面部４１が設けられている。背面部４１には接着剤４２が塗設され、コンデンサ本体３５がその周面で発光管ケース３１に接着されている。
【００２０】
図５及び図６において、裏蓋１２には、一対の係合爪４５が形成されている。係合爪４５は、コンデンサ本体３５の同一端面から突出した一対のリード端子３６の根元部３６ｂに引っ掛けられる。発光管ケース３１は、取り付け部３１ａを介してストロボ基板２６に固定されている。係合爪４５は、爪頭部４６と弾性変形する支持部４７とからなる。図６（ａ）に示すように、ユニット本体１０にストロボ装置１３が取り付けられた状態で、ユニット本体１０に裏蓋１２を装着させると、爪頭部４６がリード端子３６の剛性によって押し退けられながら支持部４７が弾性変形する。裏蓋１２をさらに押し込むと、図６（ｂ）に示すように、リード端子３６に係合爪４５が引っ掛かる。
【００２１】
本発明の作用について図７を用いて説明する。レンズ付きフイルムユニット１から写真フイルム１１が抜き取られた後、新たな写真フイルムを再装填するために裏蓋１２をこじ開けようとすると、リード端子３６が係合爪４５に引っ掛かっているので、メインコンデンサ２８がストロボ基板２６ごと後方へ引っ張られる。ストロボ基板２６は、ユニット本体１０の前面で保持されているので、裏蓋１２をこじ開ける力は、リード端子３６と、コンデンサ本体３５に接着された発光管ケース３１を変形させる。リード端子３６は根元部３６ｂで変形が生じ、発光管ケース３１はストロボ基板２６上の取り付け部３１ａで変形が生じる。
【００２２】
裏蓋１２をさらに強い力でこじ開けようとすると、リード端子３６と発光管ケース３１に強い力が加えられ、強度の弱いいずれか一方から破損する。発光管ケース３１の強度が弱い場合、図７（ａ）に示すように、取り付け部３１ａが折れたり、塑性変形し、発光管ケース３１がストロボ基板２６上から脱落する。また、リード端子３６の強度が弱い場合には、図７（ｂ）に示すように、根元部３６ｂが引っ張られ、切り込み部３６ａを発端にして亀裂が成長し、根元部３６ｂと先端部３６ｃとがちぎれる。また、発光管ケース３１とリード端子３６の両方が破損する場合もある。
【００２３】
メインコンデンサ２８と発光管ケース３１が破損すると、レンズ付きフイルムユニット１のストロボ装置１３は使い物にならなくなる。また、メインコンデンサ２８は、リード端子３６が極端に短くなってハンダ付けをやり直すことはできず、新たなメインコンデンサを取り付ける必要が生じる。発光管ケース３１は、取り付け部３１ａで折れてしまうと、ストロボ発光窓５への位置決めができなくなったり、ストロボ発光管３９が断線する。このように、レンズ付きフイルムユニット１の裏蓋１２をこじ開けるとストロボ装置が故障するので、従来の同様な裏蓋のこじ開け作業のみによるフイルム詰め替え品の製造が不可能になる。
【００２４】
ストロボ装置１３を壊さずに裏蓋１２を取り外すためには、レンズ付きフイルムユニット１から前カバー１４を取り外し、ストロボ装置１３を露呈させた上で、係合爪４５とリード端子３６の係合を解除する必要がある。すなわち、フイルム詰め替えを行うためには、手間をかけて製造元のメーカーと同じ手順を踏みながらレンズ付きフイルムユニット１を分解する必要が生じる。
【００２５】
次に、第２の実施形態について図８を用いて説明する。裏蓋５０には、開口部５１が形成されている。開口部５１の周辺には、窪み部５２が形成されている。メインコンデンサ５３は、コンデンサ本体５４とリード端子５５とからなる。リード端子５５は根元部５５ａと先端部５５ｂとが直角に折り曲げられている。コンデンサ本体５４は、表面のビニール被覆が剥ぎ取られ、アルミケースの全面が露呈されている。コンデンサ本体５４は、ビニール被覆の代りに、プラスチックホルダ５６によって周面が覆われる。プラスチックホルダ５６は、略円筒形状をしており、リード端子５５が設けられた端面と反対の端面側から差し込まれる。プラスチックホルダ５６には、開口部５１と同じ形状、同じ大きさの突出部５７が設けられている。
【００２６】
図９において、コンデンサ本体５３にプラスチックホルダ５６を差し込み、裏蓋５０の開口部５１に突出部５７を嵌め込んだ後、開口部５１に溶着ヘッド５８を押し当てる。溶着ヘッド５８は、窪み部５２に入り込む先端形状を有しており、開口部５１の周辺と、開口部５１並びに突出部の露呈面を加熱する。開口部５１と突出部５７が溶融した後、溶着ヘッド５８を開口部５１から退避させると、冷却したときに、プラスチックホルダ５６が裏蓋５０に固着される。これにより、裏蓋５０とコンデンサ本体５４を保持したプラスチックホルダ５６が一体化する。
【００２７】
図１０において、裏蓋５０にプラスチックホルダ５６を固着させた後、裏蓋５０をそのままこじ開けようとすると、裏蓋５０の開放に伴ってメインコンデンサ５３が引っ張られ、リード端子５５の弾性力によって裏蓋５０をこじ開けるのに必要な力が大きくなる。裏蓋５０をさらにこじ開けようとすると、リード端子５５が塑性変形する。すると、裏蓋５０がこじ開けられたとしても、大きく変形したリード端子５５を元の形状に戻す手間がかかり、裏蓋５０をこじ開けた代償としてリード端子５５の修理が必要になる。
【００２８】
また、裏蓋５０とプラスチックホルダ５６との固着部分を予め削り取ってから裏蓋５０をこじ開けた場合、突出部５７が開口部５１から外れた時点で、メインコンデンサ５３が斜めになると、プラスチックホルダ５６はコンデンサ本体５４から簡単に脱落し、コンデンサ本体５３のアルミケースが露呈される。アルミケースが露呈されていると、メインコンデンサ５３が充電されているときに感電や漏電を起こしやすくなり、メインコンデンサ５３の取扱い性が悪化する。すなわち、裏蓋５０とプラスチックホルダ５６の固着部分を削り取った代償として、メインコンデンサ５３を慎重に扱う必要が生じる。
【００２９】
なお、上記実施形態にみられるように、本発明では、裏蓋にメインコンデンサを固定させ、裏蓋をこじ開けると同時にストロボ装置が故障するように構成されているが、メインコンデンサを裏蓋に固定させることに加えて、ストロボ装置の他の回路部品を裏蓋に固定させたり、回路部品と前カバーを固定させてもよい。他の回路部品とは、裏蓋又は前カバーの取り外し方向に対して垂直向きとなった端子を有するものであればよい。例えば、シャッタの開放と同時にオンするシンクロスイッチ３０を、前カバーに形成した係合爪に引っ掛け、前カバーの開放と同時にシンクロスイッチを変形させて使えなくすることも可能である。
【００３０】
【発明の効果】
以上のように、本発明のレンズ付きフイルムユニットによれば、フイルム詰め替え作業で裏蓋がこじ開けられるときに、裏蓋につられてメインコンデンサが引っ張られ、メインコンデンサのリード端子を変形させたり、破断させたり、メインコンデンサの取扱い性を悪化させることができる。これにより、裏蓋を安易にこじ開けて写真フイルムの詰め替え作業を行うことができなくなり、製造元のメーカーと同等な分解作業をフイルム詰め替え業者に強いることができる。フイルム詰め替え作業に手間を掛けさせることで、低品質なフイルム詰め替え品の流通を抑制し、製造元のメーカーで行われるリサイクル処理に対応できない改造品の製造を予防できる。
【図面の簡単な説明】
【図１】レンズ付きフイルムユニットの外観斜視図である。
【図２】レンズ付きフイルムユニットの分解斜視図である。
【図３】メインコンデンサの平面図である。
【図４】発光管ケースの断面図である。
【図５】ストロボ基板の背面斜視図である。
【図６】メインコンデンサと裏蓋の平面図である。
【図７】メインコンデンサと裏蓋の平面図である。
【図８】メインコンデンサと裏蓋の第２の実施形態の背面斜視図である。
【図９】メインコンデンサと裏蓋の側面図である。
【図１０】メインコンデンサと裏蓋の平面図である。
【符号の説明】
１　レンズ付きフイルムユニット
１０　ユニット本体
１１　写真フイルム
１２，５０　裏蓋
１４　前カバー
２６　ストロボ基板
２８，５３　メインコンデンサ
３１　発光管ケース
３５，５４　コンデンサ本体
３６，５５　リード端子
３６ａ　切り込み部
３６ｂ　根元部
３６ｃ　先端部
３９　ストロボ発光管
４２　接着剤
４５　係合爪
５１　開口部
５６　プラスチックホルダ
５７　突出部
【図１】
2004125973.tif 000003
【図２】
2004125973.tif 000004
【図３】
2004125973.tif 000005
【図４】
2004125973.tif 000006
【図５】
2004125973.tif 000007
【図６】
2004125973.tif 000008
【図７】
2004125973.tif 000009
【図８】
2004125973.tif 000010
【図９】
2004125973.tif 000011
【図１０】
2004125973.tif 000012